(57)【要約】【課題】機器管理に要するトラフィックの輻輳を抑制すると共に管理情報の取得に要する時間を短縮する。【解決手段】１あるいは複数の被管理機器の動作状態を管理装置で別途管理する方法であって、被管理機器に関する複数種類の動作状態に対して、当該各動作状態を示す動作識別符号を予め設定すると共に、該動作識別符号は、所定の演算式によって合成符号化した場合に、当該合成符号の要素である動作識別符号が分別可能となるように設定されており、管理装置は、前記合成符号を被管理機器から取得することにより被管理機器に関する各種類の動作状態を把握する。【選択図】　　　図１
2004072271.tif 000002
【特許請求の範囲】
【請求項１】
１あるいは複数の被管理機器（５）の動作状態を管理装置（９）で別途管理する方法であって、
被管理機器（５）に関する複数種類の動作状態に対して、当該各動作状態を示す動作識別符号を予め設定すると共に、該動作識別符号は、所定の演算式によって合成符号化した場合に、当該合成符号の要素である動作識別符号が分別可能となるように設定されており、
管理装置（９）は、前記合成符号を被管理機器（５）から取得することにより被管理機器（５）に関する各種類の動作状態を把握する
ことを特徴とする機器管理方法。
【請求項２】
被管理機器（５）が複数種類の動作状態を有する複数の機能ユニット（Ｃ１〜Ｃｎ）から構成されている場合には、各機能ユニット（Ｃ１〜Ｃｎ）を識別するため、かつ、所定の演算式によって合成符号化した場合に当該合成符号の要素であるユニット識別符号が分別可能となるように設定されたユニット識別符号を予め設定し、
管理装置（９）は、動作識別符号からなる合成符号の取得前にユニット識別符号からなる合成符号を被管理機器（５）から取得することにより異常動作状態にある機能ユニット（Ｃ１〜Ｃｎ）を把握し、当該異常動作状態にある機能ユニット（Ｃ１〜Ｃｎ）から動作識別符号からなる合成符号を取得することにより各種類毎の動作状態を把握することを特徴とする請求項１記載の機器管理方法。
【請求項３】
ユニット識別符号は被管理機器（５）にｎ個設けられた各機能ユニット（Ｃ１〜Ｃｎ）に対して２（ｎ−１）によってそれぞれ規定される数値であり、演算式は当該数値を加算する加算式であることを特徴とする請求項２記載の機器管理方法。
【請求項４】
動作識別符号はｍ種類の動作状態に対して２（ｍ−１）によってそれぞれ規定される数値であり、演算式は当該数値を加算する加算式であることを特徴とする請求項１〜３いずれかに記載の機器管理方法。
【請求項５】
被管理機器（５）は、ＭＩＢ（Ｍａｎａｇｅｍｅｎｔ　Ｉｎｆｏｒｍａｔｉｏｎ　Ｂａｓｅ）に登録した管理情報をＳＮＭＰ（Ｓｉｍｐｌｅ　Ｎｅｔｗｏｒｋ　Ｍａｎａｇｅｍｅｎｔ　Ｐｒｏｔｏｃｏｌ）を用いて管理装置（９）に送信する通信機器であることを特徴とする請求項１〜４いずれかに記載の機器管理方法。
【請求項６】
通信機器は、通信事業者の広域ＬＡＮ（Ｌｏｃａｌ　Ａｒｅａ　Ｎｅｔｗｏｒｋ）とユーザＬＡＮ（Ｌｏｃａｌ　Ａｒｅａ　Ｎｅｔｗｏｒｋ）とを専用通信回線で相互接続する際に広域ＬＡＮ（Ｌｏｃａｌ　Ａｒｅａ　Ｎｅｔｗｏｒｋ）と専用通信回線との間に設けられるフレーム変換装置であることを特徴とする請求項５記載の機器管理方法。
【請求項７】
１あるいは複数の被管理機器（５）の動作状態を管理装置（９）で別途管理するシステムであって、
被管理機器（５）は、複数種類の動作状態を示すと共に、所定の演算式によって合成符号化した場合に当該合成符号の要素である動作識別符号が分別可能となるように設定された動作識別符号を予め記憶し、管理装置（９）から動作状態の送信要求が入力されると、前記合成符号を管理装置（９）に出力し、
管理装置（９）は、前記合成符号を被管理機器（５）から取得することにより被管理機器（５）に関する各種類の動作状態を把握する
ことを特徴とする機器管理システム。
【請求項８】
被管理機器（５）は、複数種類の動作状態を有する複数の機能ユニット（Ｃ１〜Ｃｎ）から構成され、所定の演算式によって合成符号化した場合に当該合成符号の要素であるユニット識別符号が分別可能となるように設定されたユニット識別符号をも予め記憶し、管理装置（９）から機能ユニット（Ｃ１〜Ｃｎ）毎の動作状態の送信要求が入力されると、前記ユニット識別符号からなる合成符号を管理装置（９）に出力し、
管理装置（９）は、動作識別符号からなる合成符号の取得前にユニット識別符号からなる合成符号を被管理機器（５）から取得することにより異常動作状態にある機能ユニット（Ｃ１〜Ｃｎ）を把握し、当該異常動作状態にある機能ユニット（Ｃ１〜Ｃｎ）に関する動作識別符号からなる合成符号を被管理機器（５）から取得することにより各種類毎の動作状態を把握することを特徴とする請求項７記載の機器管理システム。
【請求項９】
ユニット識別符号は被管理機器（５）にｎ個設けられた各機能ユニット（Ｃ１〜Ｃｎ）に対して２（ｎ−１）によってそれぞれ規定される数値であり、演算式は当該数値を加算する加算式であることを特徴とする請求項８記載の機器管理システム。
【請求項１０】
動作識別符号はｍ種類の動作状態に対して２（ｍ−１）によってそれぞれ規定される数値であり、演算式は当該数値を加算する加算式であることを特徴とする請求項７〜９いずれかに記載の機器管理システム。
【請求項１１】
被管理機器（５）は、ＭＩＢ（Ｍａｎａｇｅｍｅｎｔ　Ｉｎｆｏｒｍａｔｉｏｎ　Ｂａｓｅ）に登録した管理情報をＳＮＭＰ（Ｓｉｍｐｌｅ　Ｎｅｔｗｏｒｋ　Ｍａｎａｇｅｍｅｎｔ　Ｐｒｏｔｏｃｏｌ）を用いて管理装置（９）に送信する通信機器であることを特徴とする請求項７〜１０いずれかに記載の機器管理システム。
【請求項１２】
通信機器は、通信事業者の広域ＬＡＮ（Ｌｏｃａｌ　Ａｒｅａ　Ｎｅｔｗｏｒｋ）とユーザＬＡＮ（Ｌｏｃａｌ　Ａｒｅａ　Ｎｅｔｗｏｒｋ）とを専用通信回線で相互接続する際に広域ＬＡＮ（Ｌｏｃａｌ　Ａｒｅａ　Ｎｅｔｗｏｒｋ）と専用通信回線との間に設けられるフレーム変換装置であることを特徴とする請求項１１記載の機器管理システム。
【発明の詳細な説明】
【０００１】
【発明の属する技術分野】
本発明は、機器管理システム及び方法に関する。
【０００２】
【従来の技術】
例えば通信網の管理では、管理装置がＳＮＭＰ（Ｓｉｍｐｌｅ　Ｎｅｔｗｏｒｋ　Ｍａｎａｇｅｍｅｎｔ　Ｐｒｏｔｏｃｏｌ）を用いて被管理機器（通信機器）と通信することにより被管理機器の動作状態を把握する。被管理機器は、自らの動作状態を順次検出してＭＩＢ（Ｍａｎａｇｅｍｅｎｔ　Ｉｎｆｏｒｍａｔｉｏｎ　Ｂａｓｅ）に管理情報として登録しており、管理装置から動作状態の送信要求を受信すると、ＭＩＢに登録された管理情報を管理装置に送信する。
【０００３】
上記通信機器のうち、広域ＬＡＮ（Ｌｏｃａｌ　Ａｒｅａ　Ｎｅｔｗｏｒｋ）とユーザＬＡＮ（Ｌｏｃａｌ　Ａｒｅａ　Ｎｅｔｗｏｒｋ）とを専用通信回線で相互接続する際に広域ＬＡＮ（Ｌｏｃａｌ　Ａｒｅａ　Ｎｅｔｗｏｒｋ）と専用通信回線との間に設けられるフレーム変換装置では、複数種類の管理情報（つまり動作状態）をＭＩＢに登録し、管理装置からの要求に応じて当該要求に該当する動作状態を管理装置に送信するように構成されている。また、このようなフレーム変換装置は、回線毎に設けられた複数の回線ボードと当該各回線ボードを一括管理する管理ボードとから構成されており、この管理ボード内の記憶装置に各回線ボード毎の管理情報を一括登録するＭＩＢが設定されている。すなわち、管理ボードは、各回線ボードから動作状態に関する複数種類の情報（動作状態情報）を順次取得して、回線ボード毎にＭＩＢに登録する。
【０００４】
【発明が解決しようとする課題】
ところで、管理装置は、フレーム変換装置（正確には管理ボード）から各回線ボードに関する各種の動作状態情報を取得する場合に、ＳＮＭＰに基づくポーリング処理を行う。すなわち、管理装置は、特定の回線ボードと動作状態情報の特定種類を指定した取得要求をフレーム変換装置に対して送信し、この取得要求に対する回答として特定の回線ボード及び特定種類の動作状態情報を取得する。したがって、管理装置は、全ての回線ボードについて全種類の動作状態情報を取得するためには、回線ボードの個数と動作状態情報の種類数とを乗算した回数のポーリング処理を行わなければならず、管理装置とフレーム変換装置との間のトラフィックが輻輳すると共に動作状態情報の取得に時間を要するという問題点がある。
【０００５】
本発明は、上述する問題点に鑑みてなされたもので、機器管理に要するトラフィックの輻輳を抑制すると共に管理情報の取得に要する時間を短縮することを目的とする。
【０００６】
【課題を解決するための手段】
上記目的を達成するために、本発明では、機器管理方法に係わる第１の手段として、１あるいは複数の被管理機器（５）の動作状態を管理装置（９）で別途管理する方法であって、被管理機器（５）に関する複数種類の動作状態に対して、当該各動作状態を示す動作識別符号を予め設定すると共に、該動作識別符号は、所定の演算式によって合成符号化した場合に、当該合成符号の要素である動作識別符号が分別可能となるように設定されており、管理装置（９）は、前記合成符号を被管理機器（５）から取得することにより被管理機器（５）に関する各種類の動作状態を把握するという構成を採用する。
【０００７】
また、機器管理方法に係わる第２の手段として、上記第１の手段において、被管理機器（５）が複数種類の動作状態を有する複数の機能ユニット（Ｃ１〜Ｃｎ）から構成されている場合には、各機能ユニット（Ｃ１〜Ｃｎ）を識別するため、かつ、所定の演算式によって合成符号化した場合に当該合成符号の要素であるユニット識別符号が分別可能となるように設定されたユニット識別符号を予め設定し、管理装置（９）は、動作識別符号からなる合成符号の取得前にユニット識別符号からなる合成符号を被管理機器（５）から取得することにより異常動作状態にある機能ユニット（Ｃ１〜Ｃｎ）を把握し、当該異常動作状態にある機能ユニット（Ｃ１〜Ｃｎ）から動作識別符号からなる合成符号を取得することにより各種類毎の動作状態を把握するという構成を採用する。
【０００８】
機器管理方法に係わる第３の手段として、上記第２の手段において、ユニット識別符号は被管理機器（５）にｎ個設けられた各機能ユニット（Ｃ１〜Ｃｎ）に対して２（ｎ−１）によってそれぞれ規定される数値であり、演算式は当該数値を加算する加算式であるという構成を採用する。
【０００９】
機器管理方法に係わる第４の手段として、上記第１〜第３いずれかの手段において、動作識別符号はｍ種類の動作状態に対して２（ｍ−１）によってそれぞれ規定される数値であり、演算式は当該数値を加算する加算式であるという構成を採用する。
【００１０】
機器管理方法に係わる第５の手段として、上記第１〜第４いずれかの手段において、被管理機器（５）は、ＭＩＢ（Ｍａｎａｇｅｍｅｎｔ　Ｉｎｆｏｒｍａｔｉｏｎ　Ｂａｓｅ）に登録した管理情報をＳＮＭＰ（Ｓｉｍｐｌｅ　Ｎｅｔｗｏｒｋ　Ｍａｎａｇｅｍｅｎｔ　Ｐｒｏｔｏｃｏｌ）を用いて管理装置（９）に送信する通信機器であるという構成を採用する。
【００１１】
機器管理方法に係わる第６の手段として、上記第５の手段において、通信機器は、通信事業者の広域ＬＡＮ（Ｌｏｃａｌ　Ａｒｅａ　Ｎｅｔｗｏｒｋ）とユーザＬＡＮ（Ｌｏｃａｌ　Ａｒｅａ　Ｎｅｔｗｏｒｋ）とを専用通信回線で相互接続する際に広域ＬＡＮ（Ｌｏｃａｌ　Ａｒｅａ　Ｎｅｔｗｏｒｋ）と専用通信回線との間に設けられるフレーム変換装置であるという構成を採用する。
【００１２】
一方、本発明では、機器管理システムに係わる第１の手段として、１あるいは複数の被管理機器（５）の動作状態を管理装置（９）で別途管理するシステムであって、被管理機器（５）は、複数種類の動作状態を示すと共に、所定の演算式によって合成符号化した場合に当該合成符号の要素である動作識別符号が分別可能となるように設定された動作識別符号を予め記憶し、管理装置（９）から動作状態の送信要求が入力されると、前記合成符号を管理装置（９）に出力し、管理装置（９）は、前記合成符号を被管理機器（５）から取得することにより被管理機器（５）に関する各種類の動作状態を把握するという構成を採用する。
【００１３】
また、機器管理システムに係わる第２の手段として、上記第１の手段において、被管理機器（５）は、複数種類の動作状態を有する複数の機能ユニット（Ｃ１〜Ｃｎ）から構成され、所定の演算式によって合成符号化した場合に当該合成符号の要素であるユニット識別符号が分別可能となるように設定されたユニット識別符号をも予め記憶し、管理装置（９）から機能ユニット（Ｃ１〜Ｃｎ）毎の動作状態の送信要求が入力されると、前記ユニット識別符号からなる合成符号を管理装置（９）に出力し、管理装置（９）は、動作識別符号からなる合成符号の取得前にユニット識別符号からなる合成符号を被管理機器（５）から取得することにより異常動作状態にある機能ユニット（Ｃ１〜Ｃｎ）を把握し、当該異常動作状態にある機能ユニット（Ｃ１〜Ｃｎ）に関する動作識別符号からなる合成符号を被管理機器（５）から取得することにより各種類毎の動作状態を把握するという構成を採用する。
【００１４】
機器管理システムに係わる第３の手段として、上記第２の手段において、ユニット識別符号は被管理機器（５）にｎ個設けられた各機能ユニット（Ｃ１〜Ｃｎ）に対して２（ｎ−１）によってそれぞれ規定される数値であり、演算式は当該数値を加算する加算式であるという構成を採用する。
【００１５】
機器管理システムに係わる第４の手段として、上記第１〜第３の手段において、動作識別符号はｍ種類の動作状態に対して２（ｍ−１）によってそれぞれ規定される数値であり、演算式は当該数値を加算する加算式であるという構成を採用する。
【００１６】
機器管理システムに係わる第５の手段として、上記第１〜第４の手段において、被管理機器（５）は、ＭＩＢ（Ｍａｎａｇｅｍｅｎｔ　Ｉｎｆｏｒｍａｔｉｏｎ　Ｂａｓｅ）に登録した管理情報をＳＮＭＰ（Ｓｉｍｐｌｅ　Ｎｅｔｗｏｒｋ　Ｍａｎａｇｅｍｅｎｔ　Ｐｒｏｔｏｃｏｌ）を用いて管理装置（９）に送信する通信機器であるという構成を採用する。
【００１７】
機器管理システムに係わる第６の手段として、上記第５の手段において、通信機器は、通信事業者の広域ＬＡＮ（Ｌｏｃａｌ　Ａｒｅａ　Ｎｅｔｗｏｒｋ）とユーザＬＡＮ（Ｌｏｃａｌ　Ａｒｅａ　Ｎｅｔｗｏｒｋ）とを専用通信回線で相互接続する際に広域ＬＡＮ（Ｌｏｃａｌ　ＡｒｅａＮｅｔｗｏｒｋ）と専用通信回線との間に設けられるフレーム変換装置であるという構成を採用する。
【００１８】
【発明の実施の形態】
以下、図面を参照して、本発明に係わる機器管理システム及び方法の一実施形態について説明する。
【００１９】
図１は、本実施形態に係わる機器管理システムのシステム構成図である。この図において、符号１はユーザーＬＡＮ、２，６はルータ、３，５はフレーム変換器、４はＨＳＤ（Ｈｉｇｈ　Ｓｕｐｅｒ　Ｄｉｇｉｔａｌ）網、７は通信事業者広域ＬＡＮ、８は管理用ＬＡＮ、９は管理装置である。このような各構成要素のうち、本機器管理システムＡは、フレーム変換器５（被管理機器）、管理用ＬＡＮ８及び管理装置９によって構成されている。
【００２０】
ユーザーＬＡＮ１は、企業等の一般ユーザが運用するローカルエリアネットワークであり、ルータ２を介してフレーム変換器３に接続されている。ルータ２は、周知のルーティング機能を有し、ユーザーＬＡＮ１とフレーム変換器３との間におけるＴＣＰ／ＩＰに基づく通信を中継するものである。フレーム変換器３は、ＬＡＮフレームとＨＳＤフレームとを相互変換するものであり、ルータ２を介してユーザーＬＡＮ１から入力されたＬＡＮフレームをＨＳＤフレームに変換してＨＳＤ網４に送出する一方、当該ＨＳＤ網４から入力されたＨＳＤフレームをＬＡＮフレームに変換してルータ２に送出する。
【００２１】
ＨＳＤ網４は、周知のようにＩＳＤＮ網の６４ｋｂｐｓを基本回線速度とし、フレーム多重技術を用いて最高で６Ｍｂｐｓの回線速度を実現する専用線網の一形態である。このＨＳＤ網４では、専用に規定されたＨＳＤフレームを送受信することにより通信を行う。フレーム変換器５は、上記ＨＳＤ網４と通信事業者広域ＬＡＮ７（正確にはルータ６）との間に介挿され、ＬＡＮフレームとＨＳＤフレームとを相互変換するものである。このフレーム変換器５は、ＨＳＤ網４から入力されたＨＳＤフレームをＬＡＮフレームに変換してルータ６に送出する一方、当該ルータ６を介して通信事業者広域ＬＡＮ７から入力されたＬＡＮフレームをＨＳＤフレームに変換してＨＳＤ網４に送出する。
【００２２】
また、被管理機器であるフレーム変換器５は、図２に示すように１枚の管理ボードＭと複数（ｎ枚）の回線ボードＣ１〜Ｃｎ（機能ユニット）とから構成されている。回線ボードＣ１〜Ｃｎは、通信事業者広域ＬＡＮ７とＨＳＤ網４との間の回線毎に設けられており、各回線におけるＬＡＮフレームとＨＳＤフレームとの相互フレーム変換を行う。
【００２３】
管理ボードＭは、記憶部ｍ１、ＭＩＢ（Ｍａｎａｇｅｍｅｎｔ　Ｉｎｆｏｒｍａｔｉｏｎ　Ｂａｓｅ）ｍ２、演算制御部ｍ３及び通信部ｍ４を備えており、通信部ｍ４を介して各回線ボードＣ１〜Ｃｎと交信することにより各回線ボードＣ１〜Ｃｎの動作状態（つまり回線ボードＣ１〜Ｃｎが扱う各回線の通信状態）を取得し管理情報として記憶部ｍ１内に設けられたＭＩＢｍ２に登録する。
【００２４】
なお、この管理情報は、本実施形態の場合には理解の容易化を図るために、警報に関する以下の４項目とする。すなわち、管理情報は、ＨＳＤフレームの入力断および同期外れ状態を示す「ａｌａｒｍＬｉｎｅＲｅｃＳｔａｔｅ」、ＨＳＤフレームにおけるオール（ａｌｌ）１信号の検出を示す「ａｌａｒｍＬｉｎｅＡｉｓＳｔａｔｅ」、ＨＳＤフレームのしきい値を超えたビットエラーの検出を示す「ａｌａｒｍＬｉｎｅＥｒｒｏｒＭａｊＳｔａｔｅ」、ＨＳＤフレームのしきい値以下のビットエラーの検出を示す「ａｌａｒｍＬｉｎｅＥｒｒｏｒＭｏｎＳｔａｔｅ」である。ここで、上記４項目の管理情報には、警報の発生を示す場合に「１」が値として設定され、警報を発するような状態にない通常状態を示す場合には「０」が値として設定される。
【００２５】
また、上記管理ボードＭの通信部ｍ４は、ＴＣＰ／ＩＰ標準の管理技術として規定されたＳＮＭＰ（Ｓｉｍｐｌｅ　Ｎｅｔｗｏｒｋ　Ｍａｎａｇｅｍｅｎｔ　Ｐｒｏｔｏｃｏｌ）に基づいて管理装置９と通信を行うように構成されており、管理装置９から入力される管理情報取得要求に応じて各回線ボードＣ１〜Ｃｎの動作状態、つまりＭＩＢｍ２に登録された管理情報を管理装置９に送信する。
【００２６】
上記管理ボードＭは、図３（ａ）に示すように、各回線ボードＣ１〜Ｃｎをボード番号＃１〜＃ｎに基づいて識別して各回線ボードＣ１〜Ｃｎとの交信を行うと共に、各回線ボードＣ１〜Ｃｎの管理情報をボード番号＃１〜＃ｎ毎に分類してＭＩＢｍ２に登録する。そして、管理ボードＭは、このようなボード番号＃１〜＃ｎとは別に、管理装置９に管理情報を提供する際に使用する各回線ボードＣ１〜Ｃｎの識別数値「１」，「２」，「４」，……，「２（ｎ−１）」を記憶部ｍ１内に予め記憶している。このような識別数値「１」，「２」，「４」，……，「２（ｎ−１）」は、本実施形態におけるユニット識別符号である。
【００２７】
また、管理ボードＭは、図３（ｂ）に示すように、上記４項目に亘る管理情報についても、ユニット識別符号と同様の考えに基づく識別数値「１」，「２」，「４」及び「８」を記憶部ｍ１内に予め記憶している。すなわち、「ａｌａｒｍＬｉｎｅＲｅｃＳｔａｔｅ」には識別数値「１」が割り当てられ、「ａｌａｒｍＬｉｎｅＡｉｓＳｔａｔｅ」識別数値「２」が割り当てられ、「ａｌａｒｍＬｉｎｅＥｒｒｏｒＭａｊＳｔａｔｅ」識別数値「４」が割り当てられ、また「ａｌａｒｍＬｉｎｅＥｒｒｏｒＭｏｎＳｔａｔｅ」識別数値「８」が割り当てられている。このような各管理情報に割り当てられた識別数値「１」，「２」，「４」及び「８」は、本実施形態における動作識別符号である。
【００２８】
なお、仮に各回線ボードＣ１〜Ｃｎについてｍ種類の管理情報がＭＩＢｍ２に登録される場合には、当該ｍ種類の管理情報について、識別数値「１」，「２」，「４」，……，「２（ｍ−１）」が動作識別符号として割り当てられる。このような動作識別符号及びユニット識別符号は、ＭＩＢｍ２に登録された管理情報を管理装置９に提供するに際に用いられるものであり、本機器管理システムＡの特徴点である。
【００２９】
ルータ６は、上記ルータ２と同様に周知のルーティング機能を有し、通信事業者広域ＬＡＮ７とフレーム変換器５との間におけるＴＣＰ／ＩＰに基づく通信を中継するものである。通信事業者広域ＬＡＮ７は、上記ユーザーＬＡＮ１及び当該ユーザーＬＡＮ１とは異なる他のユーザーＬＡＮを相互接続するために設けられたものであり、通信事業者によって運用されている。管理用ＬＡＮ８は、通信事業者広域ＬＡＮ７側に設けられた上記フレーム変換器５と管理装置９とを相互接続するローカルエリアネットワークであり、通信事業者によって運用されている。
【００３０】
管理装置９は、管理用ＬＡＮ８を介してフレーム変換器５と上記ＳＮＭＰに基づく通信を行うことにより被管理機器であるフレーム変換器５の動作状態を遠隔管理するコンピュータであり、通信事業者によって運用されている。図示しないが、管理用ＬＡＮ８には他の被管理機器も接続されており、管理装置９は、フレーム変換器５を含む複数の被管理機器の動作状態を常時監視し、被管理機器が異常等の警報を発した場合には、当該異常の発生や異常内容等の動作状態情報を通信事業者に報知する。
【００３１】
次に、このように構成された本機器管理システムＡの動作（管理動作）について、図４に示すフローチャートに沿って詳しく説明する。なお、このフローチャートは管理装置９の動作を示すものである。
【００３２】
管理装置９は、フレーム変換器５の動作状態を把握する場合、何れの回線ボードＣ１〜Ｃｎ（つまり何れの回線）で警報が発せられているかをまず最初に確認するために、回線ボードＣ１〜Ｃｎに関する管理情報の取得要求をフレーム変換器５（正確には管理ボードＭ）に向けて送信する（ステップＳ１）。管理ボードＭの通信部ｍ４は、このような管理情報の取得要求を受信し、この受信内容を演算制御部ｍ３に通知する。この結果、演算制御部ｍ３は、ＭＩＢｍ２に登録された各回線ボードＣ１〜Ｃｎの管理情報を検索することにより当該各回線ボードＣ１〜Ｃｎにおける警報の発生状況を示す合成符号ＣＤｕを以下のように合成し、通信部ｍ４を介して管理装置９に送信する。
【００３３】
すなわち、演算制御部ｍ３は、ｎ枚の各回線ボードＣ１〜Ｃｎに関して、「ａｌａｒｍＬｉｎｅＲｅｃＳｔａｔｅ」、「ａｌａｒｍＬｉｎｅＡｉｓＳｔａｔｅ」、「ａｌａｒｍＬｉｎｅＥｒｒｏｒＭａｊＳｔａｔｅ」及び「ａｌａｒｍＬｉｎｅＥｒｒｏｒＭｏｎＳｔａｔｅ」に各々設定されている値の論理和を取ることにより警報を発している回線ボード（警報発生回線ボード）を特定し、当該警報発生回線ボードのユニット識別符号を加算式によって全て加算することによって合成符号ＣＤｕを生成する。そして、この合成符号ＣＤｕを回線ボードＣ１〜Ｃｎに関する管理情報の取得要求に対する回答として管理装置９に送信する。なお、全ての回線ボードＣ１〜Ｃｎが警報を発していない場合には、演算制御部ｍ３は、数値としての「０」を合成符号ＣＤｕとして管理装置９に送信する。
【００３４】
例えば、回線ボードＣ２とボードＣ４とが上記４項目のうち何れかの項目で警報を発生している場合、回線ボードＣ２及びボードＣ４に関する上記論理和は「１」となる。演算制御部ｍ３は、この論理和が「１」となった回線ボードＣ２のユニット識別符号である識別数値「２」と回線ボードＣ４のユニット識別符号である識別数値「８」とを加算することにより合成符号ＣＤｕとしての数値「１０」を算出して管理装置９に送信する。
【００３５】
管理装置９は、このよな合成符号ＣＤｕを管理ボードＭから受信すると、当該合成符号ＣＤｕが「０」であるか否かを判断する（ステップＳ２）。そして、この判断が「Ｙｅｓ」の場合、つまり全ての回線ボードＣ１〜Ｃｎが警報を発していない場合には処理を終了し、判断が「Ｎｏ」の場合には、合成符号ＣＤｕに基づいて警報を発している回線ボード、例えば上記回線ボードＣ２及びボードＣ４を特定する（ステップＳ３）。
【００３６】
ここで、合成符号ＣＤｕとしての数値「１０」は、回線ボードＣ２とボードＣ４とが警報を発していることを示すものであり、これ以外の回線ボードが警報を発していることを示すものではない。すなわち、管理装置９は、合成符号ＣＤｕとしての数値「１０」は、１あるいは複数の回線ボードが警報を発していることを示すものであり、当該警報を発している回線ボードのユニット識別符号を全て加算したものが数値「１０」であるので、当該数値「１０」を加算式に基づいて構成するユニット識別符号は、「２」と「８」との組み合わせしかない。これ以外の他のユニット識別符号を加算しても「１０」になり得ない。
【００３７】
図５は、このようなユニット識別符号の性質を示した説明図である。本実施形態では、ユニット識別符号として各回線ボードＣ１〜Ｃｎに識別数値「１」，「２」，「４」，……，「２（ｎ−１）」を割り当てている。すなわち、この識別数値「１」，「２」，「４」，……，「２（ｎ−１）」は、図示するように２進数において特定の桁のみが「１」となり、当該特定の桁以外の全ての桁が「０」となるものである。
【００３８】
例えば、第１番目の回線ボードＣ１に割り当てられた識別数値「１」は、２進数の最下位桁のみが「１」となり、他の桁は全て「０」となる。第２番目の回線ボードＣ２に割り当てられた識別数値「２」は、２進数の第２桁のみが「１」となり、他の桁は全て「０」となる。さらに、第ｎ番目の回線ボードＣｎに割り当てられた識別数値「２（ｎ−１）」は、２進数の第ｎ桁のみが「１」となり、他の桁は全て「０」となる。
【００３９】
したがって、このような性質を有する各識別数値「１」，「２」，「４」，……，「２（ｎ−１）」は、値が「１」となる桁が全て異なるために、任意のものを加算しても桁上がりが生じない。すなわち、各識別数値「１」，「２」，「４」，……，「２（ｎ−１）」を加算式に基づいて加算して合成符号ＣＤｕを生成した場合に、該合成符号ＣＤｕの何れの桁の値が「１」かによって、当該合成符号ＣＤｕを構成している識別数値を特定することができる。
【００４０】
例えば、３つの識別数値「１」，「２」及び「４」を全加算して合成符号ＣＤｕを生成した場合、全ての桁で桁上がりが生じることはなく、２進数の最下位桁、第２桁及び第３桁の値が「１」となり、他の桁の値は全て「０」である。したがって、このような合成符号ＣＤｕは、識別数値「１」，「２」及び「４」を全加算して構成されたものであることが容易に判別できる。
【００４１】
管理装置９は、このような合成符号ＣＤｕ及び当該合成符号ＣＤｕを加算式に基づいて構成するユニット識別符号の特徴を利用することにより、警報を発している回線ボード、つまり上記回線ボードＣ２及びボードＣ４を特定する。そして、管理装置９は、当該回線ボードＣ２及びボードＣ４の警報内容がＭＩＢｍ２に登録された４項目の管理情報の何れに該当するか、つまり警報内容を確認するために、警報を発している回線ボード、つまり回線ボードＣ２及びボードＣ４の管理情報の取得要求を管理ボードＭに送信する（ステップＳ４）。
【００４２】
管理ボードＭの通信部ｍ４は、このような回線ボードＣ２及びボードＣ４に関する管理情報の取得要求を受信すると、この受信内容をを演算制御部ｍ３に通知する。そして、演算制御部ｍ３は、ＭＩＢｍ２に登録された回線ボードＣ２及び回線ボードＣ４の管理情報を検索・取得し、回線ボードＣ２の警報内容を示す合成符号ＣＤ２と回線ボードＣ４の警報内容を示す合成符号ＣＤ４とを以下のように合成し、通信部ｍ４を介して管理装置９に送信する。
【００４３】
すなわち、回線ボードＣ２において、例えばＨＳＤフレームの入力断および同期外れ状態を示す「ａｌａｒｍＬｉｎｅＲｅｃＳｔａｔｅ」及びＨＳＤフレームのしきい値を超えたビットエラーの検出を示す「ａｌａｒｍＬｉｎｅＥｒｒｏｒＭａｊＳｔａｔｅ」の値が「１」にそれぞれ設定されている（つまりこの２者が警報を発生している）場合、演算制御部ｍ３は、当該「ａｌａｒｍＬｉｎｅＲｅｃＳｔａｔｅ」の動作識別符号である「１」と「ａｌａｒｍＬｉｎｅＥｒｒｏｒＭａｊＳｔａｔｅ」の動作識別符号である「４」とを加算式に基づいて加算することにより合成符号ＣＤ２の値「５」を算出する。
【００４４】
一方、回線ボードＣ４については、例えばＨＳＤフレームの入力断および同期外れ状態を示す「ａｌａｒｍＬｉｎｅＲｅｃＳｔａｔｅ」とＨＳＤフレームにおけるオール（ａｌｌ）１信号の検出を示す「ａｌａｒｍＬｉｎｅＡｉｓＳｔａｔｅ」とＨＳＤフレームのしきい値を超えたビットエラーの検出を示す「ａｌａｒｍＬｉｎｅＥｒｒｏｒＭａｊＳｔａｔｅ」の値がそれぞれ「１」に設定されている（つまりこの３者が警報を発生している）場合には、演算制御部ｍ３は、当該「ａｌａｒｍＬｉｎｅＲｅｃＳｔａｔｅ」の動作識別符号である「１」と「ａｌａｒｍＬｉｎｅＡｉｓＳｔａｔｅ」の動作識別符号である「２」と「ａｌａｒｍＬｉｎｅＥｒｒｏｒＭａｊＳｔａｔｅ」の動作識別符号である「４」とを加算式に基づいて全て加算することにより合成符号ＣＤ４の値「７」を算出する。
【００４５】
そして、演算制御部ｍ３は、上記合成符号ＣＤ２，ＣＤ４を回線ボードＣ２及びボードＣ４に関する管理情報の取得要求に対する回答として通信部ｍ４を介して管理装置９に送信する。管理装置９は、このような合成符号ＣＤ２，ＣＤ４を管理ボードＭから受信すると、合成符号ＣＤ２，ＣＤ４に基づいて回線ボードＣ２及びボードＣ４の警報内容を特定する（ステップＳ５）。なお、上記合成符号ＣＤ２，ＣＤ４に基づいて、これら合成符号ＣＤ２，ＣＤ４を構成する動作識別符号を分別することができる理由については、上述したユニット識別符号に基づく合成符号ＣＤｕの場合と全く同様なので、説明を省略する。
【００４６】
このような本実施形態によれば、ユニット識別符号に基づく合成符号ＣＤｕを用いることにより、管理装置９は、１回のポーリング処理によってフレーム変換器５を構成する回線ボードＣ１〜Ｃｎの何れが警報を発しているかを確認することができる可能である。そして、管理装置９は、何れかの回線ボード（例えば回線ボードＣ２，Ｃ４）が警報を発している場合には、２回目のポーリング処理によって動作識別符号に基づく合成符号ＣＤ２，ＣＤ４をフレーム変換器５から取得することにより各回線ボードＣ２，Ｃ４についてＭＩＢｍ２に登録されている管理情報、つまり「ａｌａｒｍＬｉｎｅＲｅｃＳｔａｔｅ」、「ａｌａｒｍＬｉｎｅＡｉｓＳｔａｔｅ」、「ａｌａｒｍＬｉｎｅＥｒｒｏｒＭａｊＳｔａｔｅ」及び「ａｌａｒｍＬｉｎｅＥｒｒｏｒＭｏｎＳｔａｔｅ」の何れが警報を発しているのかを確認することができる可能である。
【００４７】
すなわち、本実施形態によれば、管理装置９は、従来のように回線ボードの個数と動作状態情報の種類数とを乗算した回数のポーリング処理を行う必要がなく、わずか２回のポーリング処理によって警報を発している回線ボードとその警報内容を確認することができるので、フレーム変換装置５との間のトラフィックが輻輳することを解消することができると共に、フレーム変換装置５の動作状態情報、つまりＭＩＢｍ２に登録されている管理情報を短時間で取得することが可能である。
【００４８】
なお、本発明は、上記実施形態に限定されることなく、例えば以下のような変形例が考えられる。
（１）上記実施形態では、ユーザーＬＡＮ１と通信事業者広域ＬＡＮ７とをＨＳＤ網４で接続する通信網の通信機器を被管理機器とするものであるが、本発明における被管理機器は、このような通信機器に限定されるものではなく、種々の機器の管理に適用することが可能である。
【００４９】
（２）上記実施形態では、通信事業者広域ＬＡＮ７側に設けられたフレーム変換器５を被管理機器としているが、被管理機器は他の機器であっても良い。例えばユーザーＬＡＮ１側に設けられたフレーム変換器３を被管理機器としても良い。（３）上記実施形態では、ＭＩＢｍ２に登録された各回線ボードＣ１〜Ｃｎの管理情報を収得することによって被管理機器であるフレーム変換器５の動作状態を管理するが、上記管理情報ではなく他の情報をフレーム変換器５から取得することによってフレーム変換器５の動作状態を管理しても良い。
【００５０】
【発明の効果】
以上説明したように、本発明によれば、１あるいは複数の被管理機器の動作状態を管理装置で別途管理する方法であって、被管理機器に関する複数種類の動作状態に対して、当該各動作状態を示す動作識別符号を予め設定すると共に、該動作識別符号は、所定の演算式によって合成符号化した場合に、当該合成符号の要素である動作識別符号が分別可能となるように設定されており、管理装置は、前記合成符号を被管理機器から取得することにより被管理機器に関する各種類の動作状態を把握するので、機器管理に要するトラフィックの輻輳を抑制すると共に管理情報の取得に要する時間を短縮することができる。
【図面の簡単な説明】
【図１】本発明の一実施形態に係わる機器管理システムのシステム構成図である。
【図２】本発明の一実施形態におけるフレーム変換器５（被管理機器）の構成図である。
【図３】本発明の一実施形態における識別符号の付与方法を示す説明図である。
【図４】本発明の一実施形態における機器状態情報の取得手順を示すフローチャートである。
【図５】本発明の一実施形態におけるユニット識別符号（及び動作識別符号）の性質を示した説明図である。
【符号の説明】
Ａ……機器管理システム
１……ユーザーＬＡＮ
２……ルータ
３……フレーム変換器
４……ＨＳＤ網
５……フレーム変換器
６……ルータ
７……通信事業者広域ＬＡＮ
８……管理用ＬＡＮ
９……管理装置
Ｍ……管理ボード
ｍ１……記憶部
ｍ２……ＭＩＢ（Ｍａｎａｇｅｍｅｎｔ　Ｉｎｆｏｒｍａｔｉｏｎ　Ｂａｓｅ）
ｍ３……演算制御部
ｍ４……通信部
Ｃ１〜Ｃｎ……回線ボード（機能ユニット）
【図１】
2004072271.tif 000003
【図２】
2004072271.tif 000004
【図３】
2004072271.tif 000005
【図４】
2004072271.tif 000006
【図５】
2004072271.tif 000007